(57)【要約】【課題】前面側から見た場合だけでなく、背面側から見た場合であっても、着用者の足を実際よりも細長く見せることのできるジーンズを提供する。【解決手段】前身頃１１０と後身頃１２０を筒状に縫合することによってジーンズの足被覆部を形成し、前身頃１１０と後身頃１２０の内股寄りの継ぎ目α１が足被覆部の前面側に現れ、後身頃１２０の両側端から所定距離を隔てた箇所に後身頃１２０の長手方向に沿って形成された擬似継ぎ目α２が足被覆部の背面側に現れるようにした。【選択図】図３
2007169810.tif 000002
【特許請求の範囲】
【請求項１】
前身頃と後身頃を筒状に縫合することによって足被覆部を形成したジーンズであって、前身頃と後身頃の内股寄りの継ぎ目α１が足被覆部の前面側に現れ、後身頃の両側端から所定距離を隔てた箇所に後身頃の長手方向に沿って形成された擬似継ぎ目α２が足被覆部の背面側に現れるようにデザインされたジーンズ。
【請求項２】
擬似継ぎ目α２が、ピンタックによって形成された請求項１記載のジーンズ。
【請求項３】
前記ピンタックが、芯糸を他の糸で後身頃のうら面に縫い付けることによって形成された請求項２記載のジーンズ。
【請求項４】
芯糸の太さが１０００〜４０００テックスに設定された請求項３記載のジーンズ。
【請求項５】
内股線から擬似継ぎ目α２までの距離が１〜１２ｃｍに設定された請求項１〜４いずれか記載のジーンズ。
【請求項６】
内股線から継ぎ目α１までの距離が１〜８ｃｍに設定された請求項１〜５いずれか記載のジーンズ。
【請求項７】
前身頃と後身頃を筒状に縫合することによって足被覆部を形成したジーンズであって、前身頃と後身頃の内股寄りの継ぎ目α１が足被覆部の背面側に現れ、前身頃の両側端から所定距離を隔てた箇所に前身頃の長手方向に沿って形成された擬似継ぎ目α２が足被覆部の前面側に現れるようにデザインされたジーンズ。
【発明の詳細な説明】
【技術分野】
【０００１】
本発明は、着用者の足を実際よりも細長く見せることのできるジーンズに関する。
【背景技術】
【０００２】
ジーンズ（ジーンズパンツに同じ。）は、それが量産され始めた１９世紀半ば頃には、専ら作業着として着用されていたが、ジーンズ姿の俳優がスクリーンに映し出される機会が多くなった２０世紀半ば頃から、街着として着用する人が急速に増え始め、現在では、お洒落に欠かせない重要なアイテムの１つとなっている。ジーンズの各メーカは、ジーンズの穿きやすさや堅牢さだけでなく、そのデザインにも気を配るようになり、デザインに様々な趣向を凝らしたジーンズを発売するようになっている。
【０００３】
例えば、前身頃と後身頃を筒状に縫合することによって足被覆部を形成したジーンズであって、前身頃と後身頃の内股寄りの継ぎ目が足被覆部の前面側に現れるようにデザインされたジーンズ（例えば特許文献１を参照。）が発売されている。これにより、着用者の足を実際よりも細長く見せることができるようになる。
【０００４】
また、前身頃と中身頃と後身頃とを筒状に縫合することによって足被覆部を形成したジーンズであって、前身頃と中身頃の継ぎ目が足被覆部の前面側に現れ、後身頃と中身頃の継ぎ目が足被覆部の背面側に現れるようにデザインされたジーンズ（例えば、特許文献２を参照。）も提案されている。これによっても、着用者の足を実際よりも細長く見せることができるようになる。
【０００５】
【特許文献１】実用新案登録第３０９４５８５号公報
【特許文献２】意匠登録第１２５１９２６号公報
【発明の開示】
【発明が解決しようとする課題】
【０００６】
これらのジーンズは、自分のスタイルをよく見せたいという消費者の要望にマッチしたものとなっており、今後、さらなる需要の拡大が期待されるものではあったが、以下のような欠点を有していた。すなわち、前者のジーンズでは、着用者の足が実際よりも細長く見えるという視覚効果は、着用者を前面側から見た場合にのみに得られるのであって、着用者を背面側から見た場合には得ることができなかった。
【０００７】
これに対し、後者のジーンズは、前面側から見た場合だけでなく、背面側から見た場合であっても、着用者の足を実際よりも細長く見せることのできるものではあったが、身頃の枚数が多く、複雑な工程を経なければ製造できないものとなっていた。このため、後者のジーンズでは、製造コストが高くなるばかりか、ジーンズ本来の堅牢さが損なわれるおそれもあった。
【０００８】
本発明は、上記課題を解決するためになされたものであり、前面側から見た場合だけでなく、背面側から見た場合であっても、着用者の足を実際よりも細長く見せることのできるジーンズを提供することを目的とする。また、使用する身頃の枚数を少なく抑えることができ、製造コストの増加を抑えることのできるジーンズを提供することも本発明の目的である。さらに、堅牢なジーンズを提供することも本発明の目的である。
【課題を解決するための手段】
【０００９】
上記課題は、前身頃と後身頃を筒状に縫合することによって足被覆部を形成したジーンズであって、前身頃と後身頃の内股寄りの継ぎ目α１が足被覆部の前面側に現れ、後身頃の両側端から所定距離を隔てた箇所に後身頃の長手方向に沿って形成された擬似継ぎ目α２が足被覆部の背面側に現れるようにデザインされたジーンズを提供することによって解決される。
【００１０】
これにより、ジーンズの着用者を前面側から見た場合には、継ぎ目α１を内股線と錯覚させ、ジーンズの着用者を背面側から見た場合には、擬似継ぎ目α２を内股線と錯覚させることが可能になる。したがって、前面側から見た場合だけでなく、背面側から見た場合であっても、着用者の足を実際よりも細長く見せることができるようになる。また、身頃の枚数を抑えることができるので、ジーンズの製造コストを削減するだけでなく、ジーンズ本来の堅牢さを維持することも可能になる。
【００１１】
ここで、「内股線」とは、ジーンズの足被覆部を前後方向に扁平となるように押し潰した際に形成される１対の折り目のうち、内股に近い方の折り目に一致する線を意味する。図１の例では、Ｌ１が内股線となっている。これに対し、ジーンズの足被覆部を前後方向に扁平となるように押し潰した際に形成される１対の折り目のうち、内股から遠い方の折り目に一致する線を「外股線」と呼ぶ。図１の例では、Ｌ２が外股線となっている。
【００１２】
擬似継ぎ目α２は、目視できる程度の筋状のものであれば特に限定されないが、ピンタックによって形成されたものであると好ましい。これにより、擬似継ぎ目α２を目立ちやすくして、内股線と錯覚させやすくすることが可能になる。また、擬似継ぎ目α２の部分であたかも２枚の生地が重なっているかのように見せることも可能になる。したがって、ジーンズを見た人に、該ジーンズが緻密に製造されたものであるという印象を与えることも可能になる。
【００１３】
擬似継ぎ目α２を形成するピンタックは、後身頃に折り目を形成しただけのものであってもよいが、芯糸を他の糸で後身頃のうら面に縫い付けることによって形成されたものであると好ましい。これにより、擬似継ぎ目α２を本物の継ぎ目にさらに似せるだけでなく、ピンタックの形が崩れるのを防止することも可能になる。
【００１４】
芯糸の太さは、特に限定されないが、細くしすぎると、ピンタックが目立たなくなるおそれがある。このため、芯糸の太さは、通常、１０００テックス以上に設定される。芯糸の太さは、１５００テックス以上であると好ましく、２０００テックス以上であるとより好ましい。一方、芯糸を太くしすぎると、ピンタックが目立ちすぎてジーンズの見栄えが悪くなるおそれがある。このため、芯糸の太さは、通常、４０００テックス以下に設定される。芯糸の太さは、３５００テックス以下であると好ましく、３０００テックス以下であるとより好ましい。
【００１５】
内股線から擬似継ぎ目α２までの距離Ｄ２（図３を参照。）は、ジーンズのサイズなどによって異なり、特に限定されない。しかし、距離Ｄ２を短く設定しすぎると、ジーンズの着用者を背面側から見た場合に、足をそれほど細長く見せることができなくなるおそれがある。このため、距離Ｄ２は、通常、１ｃｍ以上に設定される。距離Ｄ２は、３ｃｍ以上であると好ましく、５ｃｍ以上であるとより好ましい。一方、距離Ｄ２を長く設定しすぎると、ジーンズの背面側の見栄えが悪くなるおそれがある。このため、距離Ｄ２は、通常、１２ｃｍ以下に設定される。距離Ｄ２は、１０ｃｍ以下であると好ましく、８ｃｍ以下であるとより好ましい。
【００１６】
内股線から継ぎ目α１までの距離Ｄ１（図３を参照。）も、ジーンズのサイズなどによって異なり、特に限定されない。しかし、距離Ｄ１を短く設定しすぎると、ジーンズの着用者を前面側から見た場合に、足をそれほど細長く見せることができなくなるおそれがある。このため、距離Ｄ１は、通常、１ｃｍ以上に設定される。距離Ｄ１は、２ｃｍ以上であると好ましく、３ｃｍ以上であるとより好ましい。一方、距離Ｄ１を長く設定しすぎると、ジーンズの前面側の見栄えが悪くなるおそれがある。このため、距離Ｄ１は、通常、８ｃｍ以下に設定される。距離Ｄ１は、６ｃｍ以下であると好ましく、５ｃｍ以下であるとより好ましい。
【００１７】
また、上記課題は、前身頃と後身頃を筒状に縫合することによって足被覆部を形成したジーンズであって、前身頃と後身頃の内股寄りの継ぎ目α１が足被覆部の背面側に現れ、前身頃の両側端から所定距離を隔てた箇所に前身頃の長手方向に沿って形成された擬似継ぎ目α２が足被覆部の前面側に現れるようにデザインされたジーンズを提供することによっても解決される。このジーンズは、擬似継ぎ目α２が足被覆部の前面側に現れて、継ぎ目α１が足被覆部の背面側に現れること以外は、上記のジーンズと略同様の構成のものとなっている。
【発明の効果】
【００１８】
以上のように、本発明によって、前面側から見た場合だけでなく、背面側から見た場合であっても、着用者の足を実際よりも細長く見せることのできるジーンズを提供することが可能になる。また、使用する身頃の枚数を少なく抑えることができ、製造コストの増加を抑えることのできるジーンズを提供することも可能になる。さらに、堅牢なジーンズを提供することも可能になる。
【発明を実施するための最良の形態】
【００１９】
本発明のジーンズの好適な実施態様を、図面を用いてより具体的に説明する。図１は、前後方向に扁平に押し潰したジーンズ１００を前面側から見た状態を示した図である。図２は、前後方向に扁平に押し潰したジーンズ１００を背面側から見た状態を示した図である。図３は、図１のジーンズ１００をＹ−Ｙ面で切断した状態を示した断面図である。図４は、図３の針目β２を形成する様子を後身頃１２０のうら面側から見た状態を示した斜視図である。
【００２０】
１．ジーンズの全体構成
本実施態様のジーンズ１００は、図１と図２に示すように、前身頃１１０と後身頃１２０を筒状に縫合することによって足被覆部を形成したものとなっており、前身頃１１０と後身頃１２０の内股寄りの継ぎ目α１が足被覆部の前面側に現れ、後身頃１２０の両側端から所定距離を隔てた箇所に後身頃の長手方向に沿って形成された擬似継ぎ目α２が足被覆部の背面側に現れるようにデザインされたものとなっている。以下においては、説明の便宜上、右足用の足被覆部を中心に説明するが、本実施態様のジーンズ１００は、右足用の足被覆部と左足用の足被覆部とが略左右対称な構造となっており、右足用の足被覆部について説明した構成は、左足用の足被覆部についても採用することができる。
【００２１】
２．継ぎ目α１
継ぎ目α１は、図３に示すように、前身頃１１０の内股寄りの側端と後身頃１２０の内股寄りの側端とを重ね合わせ、針目β１で互いに縫合することによって形成している。内股線Ｌ１から継ぎ目α１までの距離Ｄ１は、特に限定されないが、内股線Ｌ１から擬似継ぎ目α２までの距離Ｄ２よりも長くなると、ジーンズ１００の見栄えが悪くなるために、通常、距離Ｄ２よりも短く設定される。本実施態様のジーンズ１００において、内股線Ｌ１から継ぎ目α１までの距離Ｄ１は、約４ｃｍに設定されている。
【００２２】
このとき、前身頃１１０と異なる色の糸が前身頃１１０のおもて面側に表出するように針目β１を形成すると好ましい。これにより、継ぎ目α１をさらに目立たせることが可能になる。本実施態様のジーンズ１００においては、２本の糸でしつけ縫いすることによって針目β１を形成しており、黒色の前身頃１１０のおもて面側に金色の糸が表出するようにしている。このため、継ぎ目α１が目立つだけでなく、ジーンズ１００の見栄えがよく、ジーンズ１００に気品が漂うようになっている。
【００２３】
針目β１を形成する糸のうち、前身頃１１０のおもて面側に表出する糸の太さは、特に限定されないが、細くしすぎると、継ぎ目α１が目立たなくなるばかりか、ジーンズ１００が継ぎ目α１の部分で裂けやすくなるおそれもある。このため、前身頃１１０のおもて面側に表出する糸の太さは、通常、２０テックス以上に設定される。前身頃１１０のおもて面側に表出する糸の太さは、５０テックス以上であると好ましく、８０テックス以上であるとより好ましい。
【００２４】
一方、針目β１を形成する糸のうち、前身頃１１０のおもて面側に表出する糸を太くしすぎると、継ぎ目α１が目立ちすぎてジーンズ１００の見栄えが悪くなるおそれがある。このため、前身頃１１０のおもて面側に表出する糸の太さは、通常、１０００テックス以下に設定される。前身頃１１０のおもて面側に表出する糸の太さは、５００テックス以下であると好ましく、２００テックス以下であるとより好ましい。本実施態様のジーンズ１００において、前身頃１１０のおもて面側に表出する糸の太さは、約１００テックスに設定されている。
【００２５】
３．擬似継ぎ目α２
擬似継ぎ目α２は、図３に示すように、芯糸Ｔ１を針目β２で後身頃１２０のうら面に縫い付けることによって形成している。内股線Ｌ１から擬似継ぎ目α２までの距離Ｄ２は、約６ｃｍに設定されている。本実施態様のジーンズ１００において、針目β２は、図４に示すように、針糸Ｔ２，Ｔ３とルーパ糸Ｔ４とでカバーステッチ（片面飾り縫いや二重環下飾り縫いとも呼ばれる。）することによって形成しており、ＪＩＳＬ０１２０「ステッチ形式の分類と表示記号」における表示記号４０２で規定される縫い方によって形成している。
【００２６】
芯糸Ｔ１や針糸Ｔ２，Ｔ３やルーパ糸Ｔ４の種類は特に限定されず、紡績糸とフィラメント糸のいずれであってもよい。本実施態様のジーンズ１００においては、芯糸Ｔ１として、太さが約２４００テックスのポリエステル糸を用いており、針糸Ｔ２，Ｔ３とルーパ糸Ｔ４として、太さが約２０テックスの綿糸を用いている。
【００２７】
また、本実施態様のジーンズ１００においては、図３に示すように、擬似継ぎ目α２に沿って針目β３を形成しており、擬似継ぎ目α２をさらに目立ちやすくしている。針目β３は、後身頃１２０と異なる色の糸が後身頃１２０のおもて面側に表出するように形成すると好ましい。これにより、擬似継ぎ目α２をさらに目立たせることが可能になる。本実施態様のジーンズ１００においては、２本の糸でしつけ縫いすることによって針目β３を形成しており、黒色の後身頃１２０のおもて面側に茶色の糸が表出するようにしている。このため、擬似継ぎ目α２が目立つだけでなく、ジーンズ１００の見栄えがよく、ジーンズ１００に気品が漂うようになっている。
【００２８】
針目β３を形成する糸のうち、後身頃１２０のおもて面側に表出する糸の太さは、特に限定されないが、細くしすぎると、擬似継ぎ目α２が目立たなくなるおそれがある。このため、後身頃１１０のおもて面側に表出する糸の太さは、通常、２０テックス以上に設定される。前身頃１１０のおもて面側に表出する糸の太さは、５０テックス以上であると好ましく、８０テックス以上であるとより好ましい。
【００２９】
一方、針目β３を形成する糸のうち、後身頃１２０のおもて面側に表出する糸を太くしすぎると、擬似継ぎ目α２が目立ちすぎてジーンズ１００の見栄えが悪くなるおそれがある。このため、後身頃１２０のおもて面側に表出する糸の太さは、通常、１０００テックス以下に設定される。後身頃１２０のおもて面側に表出する糸の太さは、５００テックス以下であると好ましく、２００テックス以下であるとより好ましい。本実施態様のジーンズ１００において、後身頃１２０のおもて面側に表出する糸の太さは、約１００テックスに設定されている。
【００３０】
４．継ぎ目α３
前身頃１１０と後身頃１２０の外股寄りの継ぎ目α３は、図３に示すように、前身頃１１０の外股寄りの側端と後身頃１２０の外股寄りの側端とを重ね合わせ、針目β４で互いに縫合することによって形成している。本実施態様のジーンズ１００において、継ぎ目α３は、外股線Ｌ２と一致するように設けているが、外股線Ｌ２から前後方向にずらした位置に設けてもよい。
【００３１】
５．その他の実施態様
続いて、本発明のジーンズの他の実施態様について説明する。図５は、他の実施態様のジーンズを図１におけるＹ−Ｙ面に相当する面で切断した状態を示した断面図である。他の実施態様のジーンズを前面側から見た図は、図１と略同様であり、他の実施態様のジーンズを前面側から見た図は、図２と略同様である。
【００３２】
他の実施態様のジーンズは、図５に示すように、前身頃１１０と後身頃１２０を筒状に縫合することによって足被覆部を形成したものとなっており、前身頃１１０と後身頃１２０の内股寄りの継ぎ目α１が足被覆部の背面側に現れ、前身頃１１０の両側端から所定距離を隔てた箇所に前身頃１１０の長手方向に沿って形成された擬似継ぎ目α２が足被覆部の前面側に現れるようにデザインされたものとなっている。他の実施態様のジーンズにおいて、継ぎ目α１や擬似継ぎ目α２などの詳細な構成は、前実施態様のジーンズ１００に倣った構成を採用することができる。
【００３３】
６．用途
本発明は、その用途を特に限定されず、いわゆるストレートカットジーンズ、ブーツカットジーンズ、ベルボトムジーンズ、フレアジーンズ、ローライズジーンズ、クロップドジーンズ、ロールアップジーンズといった各種のジーンズに採用することができる。また、ペインターパンツやオーバーオールなど、特殊な形態のジーンズに採用することもできる。
【図面の簡単な説明】
【００３４】
【図１】前後方向に扁平に押し潰したジーンズ１００を前面側から見た状態を示した図である。
【図２】前後方向に扁平に押し潰したジーンズ１００を背面側から見た状態を示した図である。
【図３】図１のジーンズ１００をＹ−Ｙ面で切断した状態を示した断面図である。
【図４】図３の針目β２を形成する様子を後身頃１２０のうら面側から見た状態を示した斜視図である。
【図５】他の実施態様のジーンズを図１におけるＹ−Ｙ面に相当する面で切断した状態を示した断面図である。
【符号の説明】
【００３５】
１００  ジーンズ
１１０  前身頃
１１１  前身頃（右足用）
１１２  前身頃（左足用）
１２０  後身頃
１２１  後身頃（右足用）
１２２  後身頃（右足用）
α１  前身頃と後身頃の内股寄りの継ぎ目
α２  擬似継ぎ目
α３  前身頃と後身頃の外股寄りの継ぎ目
β１  針目（継ぎ目α１装飾用）
β２  針目（継ぎ目α２形成用）
β３  針目（継ぎ目α２装飾用）
β４  針目（継ぎ目α３形成用）
Ｄ１  内股線Ｌ１から継ぎ目α１までの距離
Ｄ２  内股線Ｌ１から擬似継ぎ目α２までの距離
Ｌ１  内股線
Ｌ２  外股線
Ｔ１  芯糸
Ｔ２  針糸
Ｔ３  針糸
Ｔ４  ルーパ糸
【図１】
2007169810.tif 000003
【図２】
2007169810.tif 000004
【図３】
2007169810.tif 000005
【図４】
2007169810.tif 000006
【図５】
2007169810.tif 000007